(57)【要約】【課題】入退室管理システムにおいて、小規模な設備で、消費電力を低減するための技術を提供する。【解決手段】本発明の入退室管理システムは、管理エリアへの入室のための利用者の認証の情報を取得する、入室用認証装置と、外部からの要求に応じて再起動のために必要なデバイスを除く一部のデバイスに対する電源供給を停止させるスリープ状態と全てのデバイスに電源供給する通常状態とを切り替えており、通常状態では、管理エリアからの退室のための利用者の認証の情報を取得する、退室用認証装置と、管理エリアから全利用者がいなくなると、通常状態からスリープ状態に移行するように退室用認証装置に要求し、管理エリアに一人目の利用者が入室すると、スリープ状態から通常状態に移行するように退室用認証装置に要求する、管理サーバを有する。【選択図】図１
2010257313.tif 000002
【特許請求の範囲】
【請求項１】
利用者の入退室を管理する管理エリアの入り口に設置され、該管理エリアへの利用者の入室のための認証に必要な情報を取得する、入室用認証装置と、
前記管理エリアの出口に設置され、外部からの要求に応じて、再起動のために必要なデバイスを除く一部のデバイスに対する電源供給を停止させるスリープ状態と、全てのデバイスに電源供給する通常状態とを切り替えており、通常状態では、該管理エリアからの利用者の退室のための認証に必要な情報を取得する、退室用認証装置と、
前記入室用認証装置あるいは前記退室用認証装置から前記認証に必要な情報を取得し、該情報に基づいて前記管理エリアの在室状態を管理し、該管理エリアに利用者が存在する状態から存在しない状態に移行すると、通常状態からスリープ状態に移行するように前記退室用認証装置に要求し、該管理エリアに利用者が存在しない状態から存在する状態に移行すると、スリープ状態から通常状態に移行するように前記退室用認証装置に要求する、管理サーバと、
を有する入退室管理システム。
【請求項２】
前記入室用認証装置の近傍に設置され、利用者を検知すると、前記管理サーバにその旨を通知する、入室用赤外線センサをさらに有し、
前記入室用認証装置は、前記認証に必要な情報を取得する動作を行わない時間が所定時間以上続いたら自らスリープ状態に移行し、外部からの要求に応じて、スリープ状態から通常状態に移行し、
前記管理サーバは、前記入室用赤外線センサから利用者の検知を通知されると、スリープ状態から通常状態に移行するように前記入室用認証装置に要求する、
請求項１に記載の入退室管理システム。
【請求項３】
前記退室用認証装置の近傍に設置され、利用者を検知すると、前記管理サーバにその旨を通知する、退室用赤外線センサをさらに有し、
前記退室用認証装置は、前記認証に必要な情報を取得する動作を行わない時間が所定時間以上続いたら自らスリープ状態に移行し、
前記管理サーバは、前記退室用赤外線センサから利用者の検知を通知されると、スリープ状態から通常状態に移行するように前記退室用認証装置に要求する、
請求項１または２に記載の入退室管理システム。
【請求項４】
前記管理サーバは、前記退室用赤外線センサから利用者の検知を通知されたとき、前記在室状態上、前記管理エリアに利用者が存在する場合に限り、スリープ状態から通常状態に移行するように前記退室用認証装置に要求する、
請求項３に記載の入退室管理システム。
【請求項５】
前記管理エリアに複数の退室用認証装置が設置され、
前記管理サーバは、前記管理エリアに利用者が存在する状態から存在しない状態に移行すると、通常状態からスリープ状態に移行するように全ての前記退室用認証装置に要求し、該管理エリアに利用者が存在しない状態から存在する状態に移行すると、スリープ状態から通常状態に移行するように全ての前記退室用認証装置に要求する、請求項１から４のいずれか１項に記載の入退室管理システム。
【請求項６】
前記入室用認証装置および前記退室用認証装置は、非接触カードリーダを備え、前記認証に必要な情報を非接触カードから取得する、請求項１から５のいずれか１項に記載の入退室管理システム。
【請求項７】
前記スリープ状態から通常状態への移行の要求は、Ｗａｋｅ  Ｏｎ  ＬＡＮを実施するためのマジックパケットを送信することにより行われる、請求項１から６のいずれか１項に記載の入退室管理システム。
【請求項８】
利用者の入退室を管理する管理エリアの入り口に設置されている入室用認証装置が、前記管理エリアへの利用者の入室のための認証に必要な情報を取得し、
前記管理エリアの出口に設置されている退室用認証装置が、該管理エリアからの利用者の退室のための認証に必要な情報を取得し、
管理サーバが、
前記入室用認証装置あるいは前記退室用認証装置から前記認証に必要な情報を取得し、
前記認証に必要な情報に基づいて前記管理エリアの在室状態を管理し、
前記管理エリアに利用者が存在する状態から存在しない状態に移行すると、前記退室用認証装置を全てのデバイスに電源供給する通常状態から再起動のために必要なデバイスを除く一部のデバイスに対する電源供給を停止させるスリープ状態に移行させ、
前記管理エリアに利用者が存在しない状態から存在する状態に移行すると、前記退室用認証装置をスリープ状態から通常状態に移行させる、
認証装置制御方法。
【請求項９】
入室用赤外線センサが、前記入室用認証装置の近傍に設置され、
前記入室用認証装置が、前記認証に必要な情報を取得する動作を行わない時間が所定時間以上続いたら自らスリープ状態に移行し、
前記入室用赤外線センサが、前記入室用認証装置に近づく利用者を検知すると、その旨を前記管理サーバに通知し、
前記管理サーバが、前記入室用赤外線センサから利用者の検知を通知されると、前記入室用認証装置をスリープ状態から通常状態に移行させる、
請求項８に記載の認証装置制御方法。
【請求項１０】
退室用赤外線センサが、前記退室用認証装置の近傍に設置され、
前記退室用認証装置が、前記認証に必要な情報を取得する動作を行わない時間が所定時間以上続いたら自らスリープ状態に移行し、
前記退室用赤外線センサが、前記退室用認証装置に近づく利用者を検知すると、その旨を前記管理サーバに通知し、
前記管理サーバが、前記退室用赤外線センサから利用者の検知を通知されると、前記退室用認証装置をスリープ状態から通常状態に移行させる、
請求項８または９に記載の認証装置制御方法。
【請求項１１】
前記管理サーバが、前記退室用赤外線センサから利用者の検知を通知されたとき、前記在室状態上、前記管理エリアに利用者が存在する場合に限り、前記退室用認証装置をスリープ状態から通常状態に移行させる、
請求項１０に記載の認証装置制御方法。
【請求項１２】
前記管理エリアに、複数の退室用認証装置が設置され、
前記管理サーバが、
前記管理エリアに利用者が存在する状態から存在しない状態に移行すると、全ての前記退室用認証装置を通常状態からスリープ状態に移行させ、
前記管理エリアに利用者が存在しない状態から存在する状態に移行すると、全ての前記退室用認証装置をスリープ状態から通常状態に移行させる、
請求項８から１１のいずれか１項に記載の認証装置制御方法。
【請求項１３】
前記入室用認証装置および前記退室用認証装置が、非接触カードリーダを備え、前記認証に必要な情報を非接触カードから取得する、請求項８から１２のいずれか１項に記載の認証装置制御方法。
【請求項１４】
前記スリープ状態から通常状態への移行の指示は、Ｗａｋｅ  Ｏｎ  ＬＡＮを実施するためのマジックパケットを送信することにより行われる、請求項８から１３のいずれか１項に記載の認証装置制御方法。
【請求項１５】
利用者の入退室を管理する管理エリアの入り口に設置され、該管理エリアへの利用者の入室のための認証に必要な情報を取得する、入室用認証装置と、
前記管理エリアの出口に設置され、該管理エリアからの利用者の退室のための認証に必要な情報を取得する、退室用認証装置と、を有する入退室管理システムで用いられる管理サーバであって、
前記入室用認証装置あるいは前記退室用認証装置から前記認証に必要な情報を取得する、認証部と、
前記認証に必要な情報に基づいて前記管理エリアの在室状態を管理し、前記管理エリアに利用者が存在する状態から存在しない状態に移行すると、前記退室用認証装置を全てのデバイスに電源供給する通常状態から再起動のために必要なデバイスを除く一部のデバイスに対する電源供給を停止させるスリープ状態に移行させ、前記管理エリアに利用者が存在しない状態から存在する状態に移行すると、前記退室用認証装置をスリープ状態から通常状態に移行させる、起動指示部と、
を有する管理サーバ。
【発明の詳細な説明】
【技術分野】
【０００１】
本発明は、入退室管理システムで使用される認証装置の供給電力の制御方法に関する。
【背景技術】
【０００２】
頻繁に発生する情報漏えい問題に対する対策として、オフィスや工場などへの人の出入りを管理する入退室管理システムが広く導入されている。入退室管理システムでは、入退室する人を所定の方法で認証することにより、高度なセキュリティ性を維持する。例えば、非接触型カードは、利用者が容易に使用することができる上に、磨耗や破損のおそれがなく耐久性にも優れているため、最も主流な認証手段として使用されている。
【０００３】
非接触カードを読み込むために、非接触カードリーダが用いられる。非接触カードリーダは非接触カードを検出するためには無線電波を発する必要がある。しかし、いつ非接触カードがかざされても検出できるように、常に起動状態にあり、無線電波を発し続けることにすると、消費電力の無駄が大きくなってしまうという問題がある。
【０００４】
特許文献１では、非接触カードリーダライタ装置と、その非接触カードリーダライタ装置と通信可能な制御端末とを備え、非接触カードリーダライタ装置に非接触カードが近接したことを検出するための検出センサを設けて、制御端末が非接触カードリーダライタ装置の電源を制御する方法が提案されている。特許文献１では、制御端末は、検出センサによって非接触カードが近接したことを検出されると、非接触カードリーダライタ装置の電源をオンにする。非接触カードリーダライタ装置が非接触カードからＩＤ（Identification）番号を読み取ると、制御端末は、非接触カードリーダライタ装置の電源をオフにする。これにより、非接触カードに必要以上に電力が供給されることなく、非接触カードのＩＣチップ等の発熱が抑制され、非接触カードリーダライタ装置に非接触カードを長時間かざしていた場合でもＩＣチップ等が破壊されることを抑止することができる。
【０００５】
また、特許文献１の技術を用いることにより、非接触カードリーダライタ装置自体が消費する電力も低減することができる。
【先行技術文献】
【特許文献】
【０００６】
【特許文献１】特開２００７−１４０９６６号公報
【発明の概要】
【発明が解決しようとする課題】
【０００７】
上述した特許文献１は、非接触カードのＩＣチップ等が破壊されるのを抑止することを主目的としているため、非接触カードの近接に基づいて非接触カードリーダライタ装置の電源を制御する。しかし、そのような破壊を防止するための制御によって消費電力の低減も同時に達成されるとは限らず、特許文献１に開示された方法が、入退室管理システムにおける認証装置の電力消費を低減するための最適な制御方法とはならない場合があった。
【０００８】
本発明の目的は、入退室管理システムにおいて、最適に消費電力を低減するための技術を提供することである。
【課題を解決するための手段】
【０００９】
上記目的を達成するために、本発明の入退室管理システムは、利用者の入退室を管理する管理エリアの入り口に設置され、該管理エリアへの利用者の入室のための認証に必要な情報を取得する、入室用認証装置と、前記管理エリアの出口に設置され、外部からの要求に応じて、再起動のために必要なデバイスを除く一部のデバイスに対する電源供給を停止させるスリープ状態と、全てのデバイスに電源供給する通常状態とを切り替えており、通常状態では、該管理エリアからの利用者の退室のための認証に必要な情報を取得する、退室用認証装置と、前記入室用認証装置あるいは前記退室用認証装置から前記認証に必要な情報を取得し、該情報に基づいて前記管理エリアの在室状態を管理し、該管理エリアに利用者が存在する状態から存在しない状態に移行すると、通常状態からスリープ状態に移行するように前記退室用認証装置に要求し、該管理エリアに利用者が存在しない状態から存在する状態に移行すると、スリープ状態から通常状態に移行するように前記退室用認証装置に要求する、管理サーバを有する。
【００１０】
また、上記目的を達成するために、本発明の認証装置制御方法は、利用者の入退室を管理する管理エリアの入り口に設置されている入室用認証装置が、前記管理エリアへの利用者の入室のための認証に必要な情報を取得し、前記管理エリアの出口に設置されている退室用認証装置が、該管理エリアからの利用者の退室のための認証に必要な情報を取得し、管理サーバが、前記入室用認証装置あるいは前記退室用認証装置から前記認証に必要な情報を取得し、前記認証に必要な情報に基づいて前記管理エリアの在室状態を管理し、前記管理エリアに利用者が存在する状態から存在しない状態に移行すると、前記退室用認証装置を全てのデバイスに電源供給する通常状態から再起動のために必要なデバイスを除く一部のデバイスに対する電源供給を停止させるスリープ状態に移行させ、前記管理エリアに利用者が存在しない状態から存在する状態に移行すると、前記退室用認証装置をスリープ状態から通常状態に移行させる。
【００１１】
また、上記目的を達成するために、本発明の管理サーバは、利用者の入退室を管理する管理エリアの入り口に設置され、該管理エリアへの利用者の入室のための認証に必要な情報を取得する、入室用認証装置と、前記管理エリアの出口に設置され、該管理エリアからの利用者の退室のための認証に必要な情報を取得する、退室用認証装置と、を有する入退室管理システムで用いられる管理サーバであって、前記入室用認証装置あるいは前記退室用認証装置から前記認証に必要な情報を取得する、認証部と、前記認証に必要な情報に基づいて前記管理エリアの在室状態を管理し、前記管理エリアに利用者が存在する状態から存在しない状態に移行すると、前記退室用認証装置を全てのデバイスに電源供給する通常状態から再起動のために必要なデバイスを除く一部のデバイスに対する電源供給を停止させるスリープ状態に移行させ、前記管理エリアに利用者が存在しない状態から存在する状態に移行すると、前記退室用認証装置をスリープ状態から通常状態に移行させる、起動指示部を有する。
【発明の効果】
【００１２】
本発明によれば、入退室管理システムにおいて、最適に消費電力を低減することができる。
【図面の簡単な説明】
【００１３】
【図１】第１の実施の形態の入退室管理システムの構成を示すブロック図である。
【図２】第１の実施の形態の退室用カードリーダ３の構成を示すブロック図である。
【図３】第１の実施の形態の管理サーバ１の構成を示すブロック図である。
【図４】図３に示した管理サーバ１が入室用カードリーダ２あるいは退室用カードリーダ３から認証要求を受信したときの処理を示すフローチャートである。
【図５】図１に示した管理エリアに利用者が存在しない状態から、利用者が入室し、さらに退室したときの、管理サーバ１と入室用カードリーダ２と退室用カードリーダ３との間のシーケンスを示す図である。
【図６】第２の実施の形態の入退室管理システムの構成を示すブロック図である。
【図７】第２の実施の形態の管理サーバの構成を示すブロック図である。
【図８】図６に示した管理サーバ１が入室用赤外線センサ４あるいは退室用赤外線センサ５から検知情報を受信したときの処理を示すフローチャートである。
【図９】図６に示した入室用カードリーダ２がスリープ状態から利用者の認証をするときの、管理サーバ１と入室用カードリーダ２と入室用赤外線センサ４との間のシーケンスを示す図である。
【図１０】第３の実施の形態の管理サーバの構成を示すブロック図である。
【図１１】第３の実施の形態の退室用カードリーダの構成を示すブロック図である。
【発明を実施するための形態】
【００１４】
次に本発明について図面を参照して詳細に説明する。
【００１５】
（第１の実施の形態）
本発明の入退室管理システムでは、利用者の在室状態を管理する管理サーバが、その在室状態に応じて退室用の認証装置の電源供給を制御する。管理サーバは、在室状態を管理する管理エリアに一人も入室していない場合、退室用の認証装置に、再起動のために必要なデバイスを除く一部のデバイスに対する電源供給を停止させる。そして、管理サーバは、管理エリアに新たに人が入室すると、電源供給を停止させていたデバイスへの電源供給を再開させる。
【００１６】
図１は第１の実施の形態の入退室管理システムの構成を示すブロック図である。
【００１７】
図１に示すように、入退室管理システムは、管理サーバ１、入室用カードリーダ２、退室用カードリーダ３、扉６および電気錠７を有する。
【００１８】
入退室管理システムが利用者の入退室を管理する管理エリアの入り口には扉６が設置される。扉６には、電気錠７が備え付けられ、扉６は、電気錠７により開閉が制限される。
【００１９】
電気錠７は、扉６を施錠あるいは解錠するための錠である。電気錠７には、入室用カードリーダ２および退室用カードリーダ３が接続され、電気錠７の施錠および解錠は、入室用カードリーダ２および退室用カードリーダ３によって制御される。
【００２０】
入室用カードリーダ２および退室用カードリーダ３は、管理エリアへの利用者の入退室のための認証に必要な情報を取得する認証装置である。入室用カードリーダ２および退室用カードリーダ３は、利用者によって非接触カードがかざされると、その非接触カードに割り当てられたＩＤなどの情報を取得する。入室用カードリーダ２および退室用カードリーダ３は、ネットワークを介して管理サーバ１と接続し、非接触カードから取得した情報を管理サーバ１に送信する。
【００２１】
管理サーバ１は、入室用カードリーダ２あるいは退室用カードリーダ３から受信した情報に基づいて利用者の認証を行うコンピュータである。
【００２２】
まず、本実施形態の入退室管理システムの概略の動作について説明する。
【００２３】
利用者は、管理エリアに入退室するとき、入室用カードリーダ２あるいは退室用カードリーダ３に非接触カードをかざす。入室用カードリーダ２あるいは退室用カードリーダ３は、利用者によってかざされた非接触カードからその非接触カードに割り当てられた情報を取得し、管理サーバ１に送信する。管理サーバ１は、入室用カードリーダ２あるいは退室用カードリーダ３から取得した情報に基づいて利用者の認証を行い、非接触カードに割り当てられた情報の送信元であるカードリーダに認証結果を送信する。入室用カードリーダ２あるいは退室用カードリーダ３は、管理サーバ１から取得した認証結果に基づいて、電気錠７を解錠する。これにより、利用者は、扉６を開けて入退室することができる。
【００２４】
以下、入室用カードリーダ２および退室用カードリーダ３の構成について説明する。
【００２５】
入室用カードリーダ２および退室用カードリーダ３の構成は、それぞれ同じである。以下、代表して退室用カードリーダ３の構成について説明する。
【００２６】
図２は第１の実施の形態の退室用カードリーダ３の構成を示すブロック図である。
【００２７】
図２に示すように、退室用カードリーダ３は、カード制御部２１、電気錠制御部２２、ネットワークアダプタ２３およびモード制御部２４を有する。
【００２８】
カード制御部２１は、利用者によってかざされた非接触カードと無線通信を行い、その非接触カードに記録されたＩＤなどの情報を取得する。カード制御部２１は、非接触カードをかざした利用者の入退室のための認証の依頼を示す認証要求を、ネットワークアダプタ２３を介して管理サーバ１に送信する。尚、認証要求には、利用者によってかざされた非接触カードに記録されたＩＤなどの情報が含まれる。
【００２９】
電気錠制御部２２は、認証要求に対する認証結果を、ネットワークアダプタ２３を介して管理サーバ１から受信する。電気錠制御部２４は、受信した認証結果に基づいて電気錠７の施解錠を制御する。
【００３０】
モード制御部２２は、ネットワークアダプタ２３を介して管理サーバ１から起動指示あるいは停止指示を受信する。モード制御部２２は、通常状態で動作しているときに管理サーバ１から停止指示を受信すると、退室用カードリーダ３のネットワークアダプタ２３およびモード制御部２４以外への電源供給を停止し、低消費電力モードで動作する（以降、ネットワークアダプタ２３およびモード制御部２４以外への電源供給を停止した低消費電力モードで動作する状態をスリープ状態と称する）。
【００３１】
また、モード制御部２２は、スリープ状態で動作しているときに管理サーバ１から起動指示を受信すると、退室用カードリーダ３のネットワークアダプタ２３およびモード制御部２４以外への電源供給を再開し、退室用カードリーダ３を通常状態で動作させる。退室用カードリーダ３は、通常状態になると、カード制御部２１が非接触カードを検出するための電波を放出し、利用者によって非接触カードがかざされるまで待機する。
【００３２】
尚、起動指示および停止指示のためのコマンドとして、サーバ１と入室用カードリーダ２および退室用カードリーダ３との間で独自にインタフェースを規定してもよいし、起動指示のためのコマンドとして、ＷＯＬ（Wake On Lan）に対応したマジックパケットを用いてもよい。
【００３３】
ネットワークアダプタ２３は、ネットワークを介して管理サーバ１と通信するための制御を行う。
【００３４】
尚、モード制御部２２は、ネットワークアダプタ２３に含まれてもよい。また、管理サーバ１から退室用カードリーダ３に通知される起動指示のためのコマンドとして、ＷＯＬに対応したマジックパケットが用いられる場合、ネットワークアダプタおよびネットワークアダプタが有するＰＨＹ（Physical Layer）チップは、ＷＯＬ機能を有するものが用いられる。
【００３５】
以下、管理サーバ１の構成について説明する。
【００３６】
図３は第１の実施の形態の管理サーバ１の構成を示すブロック図である。
【００３７】
図３に示すように、管理サーバ１は、認証部１１、起動指示部１２およびネットワークアダプタ１３を有する。
【００３８】
認証部１１は、利用者によって非接触カードがかざされた、入室用カードリーダ２あるいは退室用カードリーダ３から、その利用者の入退室のための認証の依頼を示す認証要求を受信する。尚、認証要求には、利用者によってかざされた非接触カードに記録されたＩＤなどの情報が含まれる。
【００３９】
認証部１１は、認証要求を受信すると、その認証要求に含まれる情報の認証を行い、その認証結果を、ネットワークアダプタ１３を介して、認証要求を送信したカードリーダに送信する。また、認証部１１は、認証結果を、起動指示部１２にも送信する。
【００４０】
起動指示部１２は、認証部１１から認証結果を受信すると、その認証結果に応じて、退室用カードリーダ３を通常状態にするか、スリープ状態にするかを判別する。起動指示部１２は、判別した結果に基づいて、ネットワークアダプタ１３を介して退室用カードリーダ３に起動指示あるいは停止指示を送信する。
【００４１】
ネットワークアダプタ１３は、ネットワークを介して入室用カードリーダ２および退室用カードリーダ３と通信するための制御を行う。
【００４２】
次に図３に示した管理サーバ１が入室用カードリーダ２あるいは退室用カードリーダ３から認証要求を受信したときの処理について説明する。
【００４３】
図４は図３に示した管理サーバ１が入室用カードリーダ２あるいは退室用カードリーダ３から認証要求を受信したときの処理を示すフローチャートである。
【００４４】
管理サーバ１の認証部１１は、入室用カードリーダ２あるいは退室用カードリーダ３から認証要求を受信するまで待機する（ステップＳ１）。
【００４５】
認証部１１は、認証要求を受信すると、受信した認証要求に含まれる情報に基づいて、カードリーダに非接触カードをかざした利用者の認証を行う（ステップＳ２）。尚、入室用カードリーダ２および退室用カードリーダ３が管理する管理エリアに入退室できる利用者は、予め管理サーバ１に設定される。
【００４６】
受信した認証要求に含まれる情報の認証に失敗した場合、認証部１１は、その旨を、認証要求を送信したカードリーダに通知し、ステップＳ１に移行し、再度、認証要求を受信するまで待機する。
【００４７】
一方、受信した認証要求に含まれる情報の認証に成功した場合、認証部１１は、その旨を、認証要求を送信したカードリーダに通知しつつ、さらに、その旨を起動指示部１２にも通知する。
【００４８】
認証部１１から認証結果を受信すると、起動指示部１２は、その認証の前後における管理エリアの在室状態を判別する。
【００４９】
起動指示部１２は、まず、その認証により管理エリアに利用者が存在しない状態から存在する状態に移行したか否かを判別する（ステップＳ３）。
【００５０】
その認証により管理エリアに利用者が存在しない状態から存在する状態に移行した場合、起動指示部１２は、退室用カードリーダ３に起動指示を送信する（ステップＳ４）。
【００５１】
一方、その認証により管理エリアに利用者が存在しない状態から存在する状態に移行していない場合、起動指示部１２は、その認証により管理エリアに利用者が存在する状態から存在しない状態に移行したか否かを判別する（ステップＳ５）。その認証により管理エリアに利用者が存在する状態から存在しない状態に移行した場合、起動指示部１２は、退室用カードリーダ３に停止指示を送信する（ステップＳ６）。
【００５２】
起動指示部１２は、入退室を認証した管理エリアの在室状態の判別処理を完了すると、ステップＳ１に移行し、認証部１１に、再度、認証要求を受信するまで待機させる。
【００５３】
次に図１に示した管理エリアに利用者が存在しない状態から、利用者が入室し、さらに退室したときの処理について説明する。
【００５４】
図５は図１に示した管理エリアに利用者が存在しない状態から、利用者が入室し、さらに退室したときの、管理サーバ１と入室用カードリーダ２と退室用カードリーダ３との間のシーケンスを示す図である。
【００５５】
まず、管理エリアには利用者が存在せず、入室用カードリーダ２は通常状態、退室用カードリーダ３はスリープ状態になっている。このとき、利用者が入室のために非接触カードを入室用カードリーダ２にかざすと、入室用カードリーダ２は、かざされた非接触カードに記録された情報を取得する。そして、入室用カードリーダ２は、取得した情報を含む認証要求を管理サーバ１に送信する（ステップＳ１１）。
【００５６】
管理サーバ１は、認証要求を受信すると、受信した認証要求に含まれる情報と、管理サーバ１に予め設定された管理エリアに入退室できる利用者の情報とを照合し、入室用カードリーダ２に非接触カードをかざした利用者の認証を行う。受信した認証要求に含まれる情報の認証に成功すると、管理サーバ１は、認証に成功した旨を、入室用カードリーダ２に通知する（ステップＳ１２）。
【００５７】
管理サーバ１から認証に成功した旨を受信すると、入室用カードリーダ２は、電気錠７を解錠する。これにより、利用者は、管理エリアに入室することができるようになる。
【００５８】
管理サーバ１は、認証に成功した旨を、入室用カードリーダ２に通知すると、続いて、その認証の前後における管理エリアの在室状態を判別する（ステップＳ１３）。その認証により管理エリアに利用者が存在しない状態から存在する状態に移行したので、管理サーバ１は、退室用カードリーダ３に起動指示を送信する（ステップＳ１４）。
【００５９】
管理サーバ１から起動指示を受信すると、退室用カードリーダ３は、ネットワークアダプタ２３およびモード制御部２４以外へ電源を供給し、通常状態に移行する（ステップＳ１５）。
【００６０】
退室用カードリーダ３は、通常状態になると、非接触カードを検出するための電波を放出し、非接触カードがかざされるまで待機する。その後、管理エリアに入室した利用者が退室のために非接触カードを退室用カードリーダ３にかざすと、退室用カードリーダ３は、かざされた非接触カードに記録された情報を取得する。そして、退室用カードリーダ３は、取得した情報を含む認証要求を管理サーバ１に送信する（ステップＳ１６）。
【００６１】
管理サーバ１は、認証要求を受信すると、受信した認証要求に含まれる情報と、管理サーバ１に予め設定された管理エリアに入退室できる利用者の情報とを照合し、退室用カードリーダ３に非接触カードをかざした利用者の認証を行う。受信した認証要求に含まれる情報の認証に成功すると、管理サーバ１は、認証に成功した旨を、退室用カードリーダ３に通知する（ステップＳ１７）。
【００６２】
管理サーバ１から認証に成功した旨を受信すると、退室用カードリーダ３は、電気錠７を解錠する。これにより、利用者は、管理エリアから退室することができるようになる。
【００６３】
管理サーバ１は、認証に成功した旨を、退室用カードリーダ３に通知すると、続いて、その認証の前後における管理エリアの在室状態を判別する（ステップＳ１８）。その認証により管理エリアに利用者が存在する状態から存在しない状態に移行したので、管理サーバ１は、退室用カードリーダ３に停止指示を送信する（ステップＳ１９）。
【００６４】
管理サーバ１から停止指示を受信すると、退室用カードリーダ３は、ネットワークアダプタ２３およびモード制御部２４以外への電源供給を停止し、スリープ状態に移行する（ステップＳ２０）。
【００６５】
以上説明したように、本実施形態によれば、退室用カードリーダは、使用されないときはスリープ状態となって消費電力を低減し、認証される可能性があるときのみ動作するように制御される。これにより、入退室管理システムにおいて、最適に消費電力を低減することができる。
【００６６】
尚、本実施の形態では、１つの管理エリアに対して入室用カードリーダと退室用カードリーダが１台ずつ設置される例を示したが、入退室管理システムの構成は、これに限定されるものではない。例えば、１つの管理エリアに対して複数の扉が設置され、それぞれの扉に入室用カードリーダと退室用カードリーダが設置される構成としてもよい。
【００６７】
このとき、管理サーバは、利用者がいずれかの扉から入室し、管理エリアに利用者が存在しない状態から存在する状態に移行すれば、全ての退室用カードリーダに起動指示を送信する。また、管理サーバは、利用者がいずれかの扉から退室し、管理エリアに利用者が存在する状態から存在しない状態に移行すれば、全ての退室用カードリーダに停止指示を送信する。
【００６８】
これにより、１つの管理エリアに対して複数の扉が設置される構成のときでも、各退室用カードリーダの供給電力を適切に制御することができる。
【００６９】
また、本実施の形態では、管理サーバが利用者の入退室のための認証を行う例を示したが、本発明は、これに限定されるものではなく、入室用カードリーダあるいは退室用カードリーダが利用者の入退室のための認証を行うようにしてもよい。
【００７０】
また、本実施の形態では、入退室管理システムで使用される認証装置として、非接触型のカードリーダを用いる例を示したが、本発明は、これに限定されるものではなく、認証装置として磁気カードリーダや生体認証装置等を用いてもよい。
【００７１】
（第２の実施の形態）
第１の実施の形態では、管理エリアの在室状況に応じて、退室用カードリーダの動作モードを制御することにより低消費電力化を図る例を示した。第１の実施の形態の構成に利用者を検知するための赤外線センサを追加することにより、さらに効率よく低消費電力化を実現できる。第２の実施の形態では、第１の実施の形態の構成に赤外線センサを追加する例を示す。
【００７２】
図６は第２の実施の形態の入退室管理システムの構成を示すブロック図である。
【００７３】
図６に示すように、第２の実施の形態の入退室管理システムは、第１の実施の形態の入退室管理システムの構成に加えて、入室用赤外線センサ４および退室用赤外線センサ５を有する。
【００７４】
入室用赤外線センサ４および退室用赤外線センサ５は、それぞれ、入室用カードリーダ２および退室用カードリーダ３の近辺に設置され、管理サーバ１と接続される。尚、管理サーバ１と接続するインタフェースの例としては、ＲＳ−２３２Ｃ（Recommended Standard 232 version C）やＲＳ−４８５（Recommended Standard 485）などのシリアル通信のインタフェースがある。
【００７５】
入室用赤外線センサ４および退室用赤外線センサ５は、入室用カードリーダ２および退室用カードリーダ３の近傍に設置され、各カードリーダ付近に利用者が存在するか否かを監視する。入室用赤外線センサ４および退室用赤外線センサ５は、監視する範囲内に利用者が存在することを検知すると、検知情報として管理サーバ１に通知する。
【００７６】
図７は第２の実施の形態の管理サーバの構成を示すブロック図である。
【００７７】
図７に示すように、第２の実施の形態の管理サーバは、第１の実施の形態の管理サーバの構成に加えて、赤外線センサアクセス部１４を有する。
【００７８】
赤外線センサアクセス部１４は、入室用赤外線センサ４および退室用赤外線センサ５と接続し、それぞれの赤外線センサが検知した検知情報を取得する。そして、赤外線センサアクセス部１４は、取得した検知情報を起動指示部１２に通知する。
【００７９】
起動指示部１２は、赤外線センサアクセス部１４から受信した検知情報に基づいて、入室用カードリーダ２および退室用カードリーダ３を通常状態にするか否かを判別する。起動指示部１２は、判別した結果に基づいて、ネットワークアダプタ１３を介して入室用カードリーダ２および退室用カードリーダ３に起動指示を送信する。
【００８０】
入室用カードリーダ２および退室用カードリーダ３の構成は、第１の実施の形態の入室用カードリーダ２および退室用カードリーダ３の構成と基本的に同じである。
【００８１】
但し、入室用カードリーダ２および退室用カードリーダ３のモード制御部は、通常状態のときに非接触カードが検出されない時間が所定時間以上続いたら、ネットワークアダプタおよびモード制御部以外への電源供給を停止し、スリープ状態に移行する。
【００８２】
次に図６に示した管理サーバ１が入室用赤外線センサ４あるいは退室用赤外線センサ５から検知情報を受信したときの処理について説明する。
【００８３】
図８は図６に示した管理サーバ１が入室用赤外線センサ４あるいは退室用赤外線センサ５から検知情報を受信したときの処理を示すフローチャートである。
【００８４】
管理サーバ１の起動指示部１２は、入室用赤外線センサ４あるいは退室用赤外線センサ５から検知情報を受信するまで待機する（ステップＳ２１）。
【００８５】
起動指示部１２は、入室用赤外線センサ４あるいは退室用赤外線センサ５から検知情報を受信すると、まず、それぞれの赤外線センサが監視するカードリーダがスリープ状態であるか否かを確認する（ステップＳ２２）。
【００８６】
それぞれの赤外線センサが監視するカードリーダが通常状態である場合、改めて起動する必要がないので、起動指示部１２は、ステップＳ２１に移行し、再度、検知情報を受信するまで待機する。
【００８７】
一方、それぞれの赤外線センサが監視するカードリーダがスリープ状態である場合、起動指示部１２は、そのカードリーダに起動指示を送信する（ステップＳ２３）。起動指示部１２は、起動指示を送信すると、ステップＳ２１に移行し、再度、検知情報を受信するまで待機する。
【００８８】
次に図６に示した入室用カードリーダ２がスリープ状態から利用者の認証をするときの処理について説明する。
【００８９】
図９は図６に示した入室用カードリーダ２がスリープ状態から利用者の認証をするときの、管理サーバ１と入室用カードリーダ２と入室用赤外線センサ４との間のシーケンスを示す図である。
【００９０】
まず、入室用カードリーダ２は、非接触カードが検出されない時間が所定時間以上続いており、スリープ状態になっている。このとき、利用者が管理エリアに入室するために入室用カードリーダ２に近づくと、入室用赤外線センサ４は、その利用者が入室用カードリーダ２に近づいたことを検知し、検知情報として管理サーバ１に通知する（ステップＳ３１）。
【００９１】
管理サーバ１は、入室用赤外線センサ４から検知情報を取得すると、まず、入室用カードリーダ２がスリープ状態であるか否かを判別する（ステップＳ３２）。現在、入室用カードリーダ２はスリープ状態であるので、管理サーバ１は、入室用カードリーダ２に起動指示を送信する（ステップＳ３３）。
【００９２】
管理サーバ１から起動指示を受信すると、入室用カードリーダ２は、ネットワークアダプタおよびモード制御部以外へ電源を供給し、通常状態に移行する（ステップＳ３４）。
【００９３】
入室用カードリーダ２は、通常状態になると、非接触カードを検出するための電波を放出し、非接触カードがかざされるまで待機する。その後、利用者が入室のために非接触カードを入室用カードリーダ２にかざすと、入室用カードリーダ２は、かざされた非接触カードに記録された情報を取得する。そして、入室用カードリーダ２は、取得した情報を含む認証要求を管理サーバ１に送信する（ステップＳ３５）。
【００９４】
管理サーバ１は、認証要求を受信すると、受信した認証要求に含まれる情報と、管理サーバ１に予め設定された管理エリアに入退室できる利用者の情報とを照合し、入室用カードリーダ２に非接触カードをかざした利用者の認証を行う。受信した認証要求に含まれる情報の認証に成功すると、管理サーバ１は、認証に成功した旨を、入室用カードリーダ２に通知する（ステップＳ３６）。
【００９５】
尚、入室用カードリーダ２は、通常状態に移行すると、自身が使用されているか否かを判別するために、非接触カードが検出されていない時間を監視する。入室用カードリーダ２は、通常状態のときに非接触カードが検出されない時間が所定時間以上続いたと判別すると（ステップＳ３７）、管理サーバ１にスリープ状態に移行する旨を示す停止通知を送信する（ステップＳ３８）。そして、入室用カードリーダ２は、ネットワークアダプタおよびモード制御部以外への電源供給を停止し、スリープ状態に移行する（ステップＳ３９）。
【００９６】
退室用カードリーダ３の処理も入室用カードリーダ２の処理と基本的に同様の処理となる。
【００９７】
まず、退室用カードリーダ３は、非接触カードが検出されない時間が所定時間以上続いており、スリープ状態になっている。このとき、利用者が管理エリアから退室するために退室用カードリーダ３に近づくと、退室用赤外線センサ５は、その利用者が退室用カードリーダ３に近づいたことを検知し、検知情報として管理サーバ１に通知する。
【００９８】
管理サーバ１は、退室用赤外線センサ５から検知情報を取得すると、まず、退室用カードリーダ３がスリープ状態であるか否かを判別する。退室用カードリーダ３がスリープ状態である場合、管理サーバ１は、さらに、管理エリアに利用者が存在するか否かを判別する。
【００９９】
管理エリアに利用者が存在する場合、管理サーバ１は、退室用カードリーダ３に起動指示を送信する。
【０１００】
一方、管理エリアに利用者が存在しない場合、管理サーバ１は、不法侵入者が在室しているか、あるいは、赤外線センサの誤検知であったと判別して、退室用カードリーダ３に起動指示を送信しない。
【０１０１】
尚、管理エリアに利用者が存在しないと判別した場合であっても、利用者が認証を失敗したにもかかわらず共連れ等により誤って入室してしまった状況を想定して、退室用カードリーダ３に起動指示を送信するようにしてもよい。
【０１０２】
管理サーバ１から起動指示を受信すると、退室用カードリーダ３は、ネットワークアダプタおよびモード制御部以外へ電源を供給し、通常状態に移行する。
【０１０３】
退室用カードリーダ３が通常状態に移行してからの処理は、入室用カードリーダ２の処理と同じであるため、説明を省略する。
【０１０４】
以上説明したように、本実施形態によれば、入室用赤外線センサを入室用カードリーダの近傍に設置し、入室用カードリーダ付近に利用者が存在するか否かを監視する。これにより、入室用カードリーダ付近に利用者がいないときには入室用カードリーダをスリープ状態にしておき、利用者が近づいたら入室用カードリーダを通常状態にできるので、入室用カードリーダの消費電力を最適に低減することができる。
【０１０５】
また、本実施形態によれば、退室用赤外線センサを退室用カードリーダの近傍に設置し、退室用カードリーダ付近に利用者が存在するか否かを監視する。これにより、管理エリアに利用者が存在する場合でも、退室用カードリーダ付近に利用者がいないときには退室用カードリーダをスリープ状態とすることができるので、退室用カードリーダの消費電力を第１の実施の形態よりさらに低減することができる。
【０１０６】
また、退室用赤外線センサによって何者かを検知したときに、その管理エリアに利用者が存在しないと判別した場合、入退室管理システムの運用に応じて、退室用カードリーダを通常状態に移行させるようにしてもよいし、移行させないようにしてもよい。管理エリアに利用者が存在しないと判別した場合、退室用カードリーダを通常状態に移行させないことにより、退室用赤外線センサの誤検知によって退室用カードリーダを誤って動作させることを抑止できるし、さらに、不法侵入者の退室を防止できる。逆に、管理エリアに利用者が存在しないと判別した場合であっても、退室用カードリーダを通常状態に移行させることにより、利用者が認証を失敗したにもかかわらず共連れ等により誤って入室してしまった場合でも退室できるようにユーザフレンドリな動作をすることができる。
【０１０７】
（第３の実施の形態）
第１の実施の形態および第２の実施の形態の管理サーバおよびカードリーダの処理はソフトウェアプログラムによって実現されても良い。特に、管理サーバは、コンピュータがソフトウェアプログラムを実行することによって実現することができる。
【０１０８】
図１０は第３の実施の形態の管理サーバの構成を示すブロック図である。
【０１０９】
図１０に示すように、第３の実施の形態の管理サーバ１は、ＣＰＵ１５と、主記憶装置１６と、補助記憶装置１７と、ネットワークアダプタ１３と、赤外線センサアクセス部１４とを備え、それらが内部バス１８を介して接続される。
【０１１０】
補助記憶装置１７には、第１の実施の形態あるいは第２の実施の形態の管理サーバの機能を実現するためのプログラムが記録される。補助記憶装置１７に記録されたプログラムはＣＰＵ１５によって主記憶装置１６に読み込まれる。ＣＰＵ１５は主記憶装置１６に読み込んだプログラムにしたがって処理を実行する。なお、補助記憶装置１７は、磁気ディスク、半導体メモリ、光ディスクあるいはその他の記録媒体であってもよい。
【０１１１】
入室用カードリーダ２および退室用カードリーダ３の構成は、それぞれ同じである。以下、代表して退室用カードリーダ３の構成について説明する。
【０１１２】
図１１は第３の実施の形態の退室用カードリーダの構成を示すブロック図である。
【０１１３】
図１１に示すように、第３の実施の形態の退室用カードリーダ３は、ＣＰＵ２５と、主記憶装置２６と、補助記憶装置２７と、ネットワークアダプタ２３と、カードアクセス部２８と、電気錠アクセス部２９とを備え、それらが内部バス３０を介して接続される。
【０１１４】
カードアクセス部２８は、非接触カードとの無線通信を行うデバイスであり、電気錠アクセス部２９は、電気錠と通信を行うデバイスである。
【０１１５】
補助記憶装置２７には、第１の実施の形態あるいは第２の実施の形態の退室用カードリーダの機能を実現するためのプログラムが記録される。補助記憶装置２７に記録されたプログラムはＣＰＵ２５によって主記憶装置２６に読み込まれる。ＣＰＵ２５は主記憶装置２６に読み込んだプログラムにしたがって処理を実行する。なお、補助記憶装置２７は、磁気ディスク、半導体メモリ、光ディスクあるいはその他の記録媒体であってもよい。
【符号の説明】
【０１１６】
１  管理サーバ
２  入室用カードリーダ
３  退室用カードリーダ
４  入室用赤外線センサ
５  退室用赤外線センサ
６  扉
７  電気錠
１１  認証部
１２  起動指示部
１３  ネットワークアダプタ
１４  赤外線アクセス部
１５  ＣＰＵ
１６  主記憶装置
１７  補助記憶装置
１８  内部バス
２１  カード制御部
２２  電気錠制御部
２３  ネットワークアダプタ
２４  モード制御部
２５  ＣＰＵ
２６  主記憶装置
２７  補助記憶装置
２８  カードアクセス部
２９  電気錠アクセス部
３０  内部バス
【図１】
2010257313.tif 000003
【図２】
2010257313.tif 000004
【図３】
2010257313.tif 000005
【図４】
2010257313.tif 000006
【図５】
2010257313.tif 000007
【図６】
2010257313.tif 000008
【図７】
2010257313.tif 000009
【図８】
2010257313.tif 000010
【図９】
2010257313.tif 000011
【図１０】
2010257313.tif 000012
【図１１】
2010257313.tif 000013